(57)【要約】      （修正有）【課題】ディスプレイを取り外しせずに横設置と縦設置の方向が変えられて、ディスプレイがフラットの状態で回転し、急激にディスプレイが回転することもなく、意図しない回転を防止することが出来、また、設置ディスプレイの前垂れも防止する床設置スタンドに取り付けるディスプレイ回転金具を提供する。【解決手段】ディスプレイ回転金具は、四方を折り曲げた本体ベース１と複数の樹脂スペーサー８と４つの円弧９を設けたコの字型の回転ベース２に回転軸３を中心としたベアリング機構を伴ったひしフランジ型ユニット４を接続固定し、上部には回転固定金具６が設けられている。また、ディスプレイ取り付け金具をディスプレイの背面に取り付けて、付設固定し、床設置スタンドＢに取り付けが出来る。【選択図】図２
0003234425.tif 000002
【実用新案登録請求の範囲】
【請求項１】
四方を折り曲げた本体ベースとコの字型に複数の樹脂スペースと４つの円弧が設けられた回転ベースを一定の力で締め付けて、回転機構を滑らかにすることにより、急激にディスプレイが回転することもなく、安定した動きとなる。また、上部に回転固定用金具を設置することで、意図しない回転を防止することが出来、なおかつ、前垂れ防止機構を有したディスプレイの背面にディスプレイ取り付け金具を付設固定し、床設置スタンドに取り付けが出来るディスプレイ回転金具。
【考案の詳細な説明】
【技術分野】
【０００１】  本考案は、ディスプレイ用の回転金具に関するものである。
【背景技術】
【０００２】  近年、急速な社会の情報化の発展に伴い、映像を写し出すディスプレイは用途や状況に応じて横設置や縦設置で使用するなど、様々な使い方がされている。そのような用途に対応する為、例えば、特許文献１ではディスプレイの設置状態を横設置から縦設置へ変更させる際に、ディスプレイを着脱せずに方向を変えることが出来る構造となっている。【０００３】  また、非特許文献１では床設置スタンドが様々な使い方で利用されていて、活用法が広がっている。
【先行技術文献】
【特許文献】
【０００４】
【特許文献１】特開２０１９−２１９５４０号公報
【非特許文献】
【０００５】
【非特許文献１】「オーロラＡＶ総合カタログＶｏｌ．５０」．株式会社共栄商事Ｐ．６０
【考案の概要】
【考案が解決しようとする課題】
【０００６】  しかしながら、特許文献１に開示されている構造ではディスプレイを着脱しないで、ディスプレイの横設置と縦設置が変更出来るが、方向を変えるときにディスプレイを手前に引いて斜めにし、ロック機構を外し、フリーの状態にして回転させ、方向が変わったときにまた、ディスプレイを奥側に押してフラットにさせて、ロック機構を利かす形態となっているので、段階を踏んで、方向を変えることになる。【０００７】  また、非特許文献１の床設置スタンドはディスプレイの映像の活用法として、横設置と縦設置にすることが可能な構造になっているが、方向を変えるにはディスプレイを一旦取り外し、再度取り付け直す必要があり、時間と手間が掛かり、また、ディスプレイを落としたり、傷つけたりする可能性も考えられる。【０００８】  本考案は上述した問題を鑑みてなされたもので、ディスプレイを取り外しせずに横設置と縦設置の方向が変えられて、回転機構を滑らかにすることにより、ディスプレイがフラットの状態で回転し、安定した動きで急激にディスプレイが回転することもない。また、回転固定機構もあるので、意図しない回転を防止することが出来、なおかつ、設置ディスプレイの前垂れも防止する、床設置スタンドに取り付けるディスプレイ回転金具を提供しようとするものである。
【課題を解決するための手段】
【０００９】  上記課題を解決するため本考案は、四方を折り曲げた本体ベースの取り付け穴とコの字型の回転ベースの４つの円弧を一定の力で締め付けた上に複数の樹脂スペーサーを設け、回転軸を中心としたベアリング機構を伴ったひしフランジ型ユニットを接続固定させる。また、上部に回転固定用金具を設けて、ディスプレイを確実に固定し、ディスプレイの背面にディスプレイ取り付け金具を付設固定し、床設置スタンドに取り付けが出来るディスプレイ回転金具。
【考案の効果】
【０００１０】  本考案の効果として、本体ベースと組み合わせる回転ベースには複数の樹脂スペーサーと４つの円弧を設けているので、滑らかな動きで、なおかつ、９０度回転した所で確実に止めることが出来る。さらに、回転固定用金具が付いているので、確実にロックされ、回転防止になり、また、設置ディスプレイの前垂れを防ぎ、安全性が高められた構造となっている。
【図面の簡単な説明】
【００１１】
【図１】本考案のディスプレイ回転金具の構成図である。
【図２】本考案のディスプレイ回転金具の背面図である。
【図３】本考案のディスプレイ回転金具のディスプレイの横設置の正面斜視図である。
【図４】本考案のディスプレイ回転金具のディスプレイの縦設置の正面斜視図である。
【考案を実施するための形態】
【００１２】  以下、本考案の実施するための形態を図面にもとづき説明する。
【実施例】
【００１３】  図１は本考案のディスプレイ回転金具の構成図である。四方を折り曲げた本体ベース１とコの字型の回転ベース２を接続固定し、床設置スタンドの側面に取り付け出来る構成となっている。また、ディスプレイの背面に取り付けたディスプレイ取り付け金具５を付設固定させる構成を示している。【００１４】  本体ベース１は横方向と縦方向にコの字型アングルで補強している。また、上面と下面にはＶＥＳＡ規格に対応した寸法で取り付け穴が複数施されて、一対のディスプレイ取り付け金具５が取付けられるようになっている。【００１５】  ディスプレイ取り付け金具５は一対となっており、コの字に折り曲げたパネルの正面にはＶＥＳＡ規格に対応した取り付け穴が複数開いており、ＶＥＳＡ規格のディスプレイと付設固定出来るようになっている。また、背面の上下に取り付け穴が施されたアングルが溶接され、本体ベース１に付設固定出来る構造となっている【００１６】  図２は本考案のディスプレイ回転金具の背面図である。本体ベース１の取り付け穴と回転ベース２の４つの円弧を一定の力で締め付けて、回転軸３を中心としたベアリング機構を伴ったひしフランジ型ユニット４を接続固定する。また、上部には回転固定用金具６が設けられている。【００１７】  回転ベース２は９０度の円弧が４カ所に切り欠かれており、本体ベース１は回転ベース２と適度な密接構造となっているので、滑らかに回転し、また、円弧の周辺には１２カ所の樹脂スペーサー８が取り付けられているので、直接こすれることはなく、潤滑性のある樹脂素材の面でスライドさせるため、回転の動作も安定し、揺れが生じにくい。【００１８】  図３は本考案のディスプレイ回転金具のディスプレイの横設置の正面斜視図である。本体ベース１と回転ベース２を接続固定して、床設置スタンドＢの側面に付設固定する。さらにディスプレイＡの背面に取り付けたディスプレイ取り付け金具５を付設固定させる構成を示している。また、上部に設置されている回転固定金具６の背面より、回転固定用ツマミボルト７を付設固定することにより、ディスプレイＡを確実に固定することが出来、なおかつ、前垂れ防止にもなっている。【００１９】  図４は、同上図３で示したディスプレイ回転金具のディスプレイの横設置の状態から、縦設置へ回転させた正面斜視図である。横設置から、例えば、右方向にディスプレイを９０度回転させたときに、回転ベース２に９０度の円弧が４カ所に設けられているので、確実に止めることが出来、３６０度回転することがないように、安全性が保たれている。
【産業上の利用可能性】
【００２０】  本考案は床設置スタンド用のディスプレイ回転金具として勘案されているが、ＴＶ視聴用のディスプレイとしてだけでなく、電子看板としてディスプレイを設置する際は縦設置して利用し、移動の際は横設置にして、運搬し易いようにするなど、様々な応用が出来、万能性がある。
【符号の説明】
【００２１】１    本体ベース
２    回転ベース
３    回転軸
４    ひしフランジ型ユニット
５    ディスプレイ取り付け金具
６    回転固定金具
７    回転固定用ツマミボルト
８    樹脂スペーサー
９    円弧
Ａ    ディスプレイ
Ｂ    床設置スタンド
【図１】
0003234425.tif 000003
【図２】
0003234425.tif 000004
【図３】
0003234425.tif 000005
【図４】
0003234425.tif 000006